(57)【特許請求の範囲】
【請求項１】
受信機本体を筐体の内部に収容して構成された受信機の防水構造であって、
前記筐体は、前記受信機本体を受容するベースと、このベースに対して支持部を中心に回動自在なカバーとを備え、
前記ベースと前記カバーとの少なくとも一方には、他方に向けて立ち上がる側壁を設け、
前記ベースと前記カバーとの少なくとも他方には、前記側壁の立上げ方向の端面に略当接する防水壁を設け、
前記防水壁の端部には、前記支持部の側方に延出する防水補強壁を設けたこと、
を特徴とする受信機の防水構造。
【請求項２】
前記ベースには、前記カバーに向けて立ち上がる前記側壁を設けると共に、この側壁には、前記防水壁と、前記支持部を構成するものであって上方に突出する支持片とを設け、
前記カバーには、前記ベースに向けて立ち上がる前記側壁を設けると共に、この側壁には、前記ベースの前記支持片と共に前記支持部を構成する支持片を設け、
前記防水補強壁を、前記カバーの前記支持片に略当接可能としたこと、
を特徴とする請求項１に記載の受信機の防水構造。
【請求項３】
前記防水補強壁は、前記カバーの前記支持片の側面に略当接する第１の段部と、当該第１の段部よりも低く形成されたものであって、前記カバーを開いた状態において当該カバーの前記支持片の内面に略当接する第２の段部とを有すること、
を特徴とする請求項２に記載の受信機の防水構造。
【請求項４】
前記防水補強壁を、前記支持部の上面に延出させたこと、
を特徴とする請求項１から３のいずれか一項に記載の受信機の防水構造。
【請求項５】
前記側壁を、前記ベースと前記カバーとの各々に相互に重合するように設けると共に、これら側壁の相互間には当該側壁に沿って上下に延びる排水路を設け、
前記側壁のうち外側に位置する前記側壁の下端には、前記排水路の下方に延出する遮水壁を設け、
前記側壁のうち内側に位置する前記側壁の下端には、前記排水路を介して下方に導かれた水を前記遮水壁を迂回して前記筐体の外部に排水するための切欠き部を形成したこと、
を特徴とする請求項１に受信機の防水構造。
【請求項６】
前記ベースの前記側壁を、前記カバーの前記側壁の内側に重合可能とし、
前記カバーの前記側壁の下端に、前記遮水壁を設け、
前記ベースの前記側壁の下端に、前記切欠き部を形成したこと、
を特徴とする請求項５に記載の受信機の防水構造。
【請求項７】
前記側壁のうち内側に位置する前記側壁の下部の立上げ高さを、当該下部以外の立上げ高さよりも高くしたこと、
を特徴とする請求項６に記載の受信機の防水構造。
【発明の詳細な説明】
【技術分野】
【０００１】
本発明は、受信機本体を筐体の内部に収容して構成された受信機に関し、特に、この受信機に対する雨水等の浸入を防止するための受信機の防水構造に関する。
【背景技術】
【０００２】
近年のインタネットの拡大による情報流通量の急速な増加に対応して、光ファイバを使った家庭向けのデータ通信サービスであるＦＴＴＨ（Fiber To The Home）が一般家庭に急速に普及しつつある。このＦＴＴＨにおいては、光ファイバが、一般家屋等の屋外の壁面等に設置された光受信機に接続される。そして、この光受信機を介して中継された通信データが、家庭内のパソコンやＴＶ等の各機器に伝送される。
【０００３】
このように屋外に設置される光受信機に関して、長期間に渡る信頼性を確保するためには、雨水等が光受信機の内部に浸入することを防止するための防水構造を構築することが重要になる。このため、従来から、光受信機には防水構造が設けられている。例えば、特開２００４−３６３３６１号公報には、防水構造を有する光受信機が開示されている。具体的には、光受信機は、光ファイバ収納ケースの内部に、光電変換部と収容トレイとを収容して構成されている。光ファイバ収納ケースは、ケースにカバーを回転自在に軸支して構成されており、ケースの側壁には、カバーを閉じた状態において、このカバーの側壁に当接する防水壁が形成されている。ケースの側壁の下端には、カバーの側壁の下面を略覆う遮水壁が形成されている（特許文献１参照）。
【０００４】
【特許文献１】特開２００４−３６３３６１号公報
【発明の開示】
【発明が解決しようとする課題】
【０００５】
しかしながら、このような従来の防水構造は、カバーの側壁に対応する範囲での防水を主目的として構築されていたので、カバーの上端や下端における防水性能に関しては改善の余地があった。例えば、防水壁は、カバーの側壁とベースの側壁との相互間における雨水の浸入を防止するために効果的ではあるが、カバーの側壁に当接する部分にのみ形成されていたので、このカバーの側壁以外の部分から水が筐体に浸入する可能性があった。また、遮水壁は、カバーの側壁とベースの側壁との相互間に対する下方からの雨水の浸入を防止するために効果的ではあるが、これらカバーの側壁とベースの側壁との相互間に一旦雨水が浸入した場合には、その排水が遮水壁にて遮られる可能性があった。
【０００６】
本発明は、上記に鑑みてなされたものであって、受信機に対する雨水等の浸入を一層確実に防止することができる、受信機の防水構造を提供することを目的とする。
【課題を解決するための手段】
【０００７】
上述した課題を解決し、目的を達成するために、請求項１に記載の本発明は、受信機本体を筐体の内部に収容して構成された受信機の防水構造であって、前記筐体は、前記受信機本体を受容するベースと、このベースに対して支持部を中心に回動自在なカバーとを備え、前記ベースと前記カバーとの少なくとも一方には、他方に向けて立ち上がる側壁を設け、前記ベースと前記カバーとの少なくとも他方には、前記側壁の立上げ方向の端面に略当接する防水壁を設け、前記防水壁の端部には、前記支持部の側方に延出する防水補強壁を設けたこと、を特徴とする。
【０００８】
また、請求項２に記載の本発明は、請求項１に記載の本発明において、前記ベースには、前記カバーに向けて立ち上がる前記側壁を設けると共に、この側壁には、前記防水壁と、前記支持部を構成するものであって上方に突出する支持片とを設け、前記カバーには、前記ベースに向けて立ち上がる前記側壁を設けると共に、この側壁には、前記ベースの前記支持片と共に前記支持部を構成する支持片を設け、前記防水補強壁を、前記カバーの前記支持片に略当接可能としたこと、を特徴とする。
【０００９】
また、請求項３に記載の本発明は、請求項２に記載の本発明において、前記防水補強壁は、前記カバーの前記支持片の側面に略当接する第１の段部と、当該第１の段部よりも低く形成されたものであって、前記カバーを開いた状態において当該カバーの前記支持片の内面に略当接する第２の段部とを有すること、を特徴とする。
【００１０】
また、請求項４に記載の本発明は、請求項１から３のいずれか一項に記載の本発明において、前記防水補強壁を、前記支持部の上面に延出させたこと、を特徴とする。
【００１１】
また、請求項５に記載の本発明は、請求項１に記載の本発明において、前記側壁を、前記ベースと前記カバーとの各々に相互に重合するように設けると共に、これら側壁の相互間には当該側壁に沿って上下に延びる排水路を設け、前記側壁のうち外側に位置する前記側壁の下端には、前記排水路の下方に延出する遮水壁を設け、前記側壁のうち内側に位置する前記側壁の下端には、前記排水路を介して下方に導かれた水を前記遮水壁を迂回して前記筐体の外部に排水するための切欠き部を形成したこと、を特徴とする。
【００１２】
また、請求項６に記載の本発明は、請求項５に記載の本発明において、前記ベースの前記側壁を、前記カバーの前記側壁の内側に重合可能とし、前記カバーの前記側壁の下端に、前記遮水壁を設け、前記ベースの前記側壁の下端に、前記切欠き部を形成したこと、を特徴とする。
【００１３】
また、請求項７に記載の本発明は、請求項６に記載の本発明において、前記側壁のうち内側に位置する前記側壁の下部の立上げ高さを、当該下部以外の立上げ高さよりも高くしたこと、を特徴とする。
【発明の効果】
【００１４】
この発明によれば、支持部の側方に延出する防水補強壁を設けたので、支持部を背面側に対して非露出状として、この隙間に雨水が浸入することを防止でき、受信機の防水性能を向上させることができる。
【００１５】
また、この発明によれば、防水補強壁の第２の段部を第１の段部より一段低く形成し、この第２の段部を支持片の内面に略当接させているので、第２の段部にて支持片の隙間を塞ぐことができると共に、防水補強壁が障害になることがなく、カバーをスムーズに開くことができる。
【００１６】
また、この発明によれば、防水補強壁を支持部の上面に延出させているので、この上方側から支持部の周辺に対する雨水の浸入を防止でき、受信機の防水性能を一層向上させることができる。
【００１７】
また、この発明によれば、排水路を介して下方に導かれた水を遮水壁を迂回して筐体の外部に排水するための切欠き部を形成したので、排水路の下端から筐体の外部に雨水を確実に排水することができ、受信機の防水性能を向上させることができる。
【００１８】
また、この発明によれば、側壁のうち内側に位置する側壁の下部の立上げ高さを、当該下部以外の立上げ高さよりも高くしているので、切欠き部に下方から雨水が浸入した場合であっても、この雨水が側壁を乗越えて筐体の収容空間に至ることを防止できる。
【発明を実施するための最良の形態】
【００１９】
以下に添付図面を参照して、この発明に係る受信機の防水構造の各実施の形態を詳細に説明する。まず、〔I〕各実施の形態に共通の基本的概念を説明した後、〔II〕各実施の形態の具体的内容について説明し、〔III〕最後に、各実施の形態に対する変形例について説明する。ただし、これら各実施の形態によって本発明が限定されるものではない。
【００２０】
〔I〕各実施の形態に共通の基本的概念
まず、各実施の形態に共通の基本的概念について説明する。各実施の形態は、概略的に、受信機の防水構造に関する。ここで、受信機に関する、使用目的、設置場所、あるいは、具体的構成は、特記する場合を除いて任意であり、例えば、上述した屋外用の光受信機の他、防災信号を有線や無線にて受信する受信機が該当する。以下では、光受信機を例にとって説明する。
【００２１】
各実施の形態に係る光受信機は、受信機の側方の上端から下端に至る広い範囲において、高い防水性能を得るための防水構造を備える。概略的には、光受信機は、受信機本体を受容するベースと、このベースに対して支持部を中心に回動自在なカバーとを備えて構成されており、ベースとカバーとの少なくとも一方には、他方に向けて立ち上がる側壁を設けている。そして、この側壁の周囲に、当該側壁の周囲からの雨水等の浸入を防止するための防水構造を備えている。より具体的には、側壁の端面に当接する防水壁を形成しており、特に、この防水壁の端部には、支持部の側方に延出する防水補強壁を設けている。すなわち、従来の光受信機では、側壁の周囲の防水のみに着目しており、支持部の側方には防水構造が形成されていなかったので、この支持部の周辺から雨水等が浸入する可能性があった。これに対して、各実施の形態に係る光受信機は、支持部の側方に防水補強壁を形成することで、防水構造をこの支持部の周辺にも延長しているので、この支持部の周辺からの雨水等の浸入を防止でき、光受信機の防水性能を向上できる。さらに、従来の光受信機では、カバーの側壁の下端に設けた遮水壁によって、ベースの側壁とカバーの側壁との相互間に浸入した雨水が下方に排水される際の排水性が低下する可能性があった。これに対して、各実施の形態に係る光受信機は、排水路の排水性を向上することで、防水性能を向上させている。各実施の形態では、このように排水路を用いた防水性能を向上するための様々な工夫を施している。
【００２２】
〔II〕各実施の形態の具体的内容
以下に添付図面を参照して、各実施の形態の具体的内容について順次詳細に説明する。
【００２３】
〔実施の形態１〕
まず、本発明に係る実施の形態１の具体的内容について詳細に説明する。この実施の形態１は、受信機の筐体を構成するベースに防水補強片を形成した形態であり、また、ベースの側壁の下方に切欠き部を設けた形態である。
【００２４】
（光受信機の基本構成）
最初に、光受信機の基本構成を説明する。図１は本実施の形態１に係る光受信機の全体斜視図である。なお、以下の説明においては、図１のＸ方向を左右方向、図１のＹ方向を上下方向、図２のＺ方向を前後方向とし、前面側を正面、後面側を背面と称する。光受信機１は、各種の信号の中継等を行なうもので、特許請求の範囲における受信機に対応する。この光受信機１は、筐体１０の内部に、受信機本体としての光ファイバトレイ４０及び光電変換ユニット５０を、着脱自在に収めて構成されている。
【００２５】
このうち、筐体１０は、光受信機１の構造体であり、光ファイバトレイ４０及び光電変換ユニット５０を外部から保護する保護手段である。この筐体１０は、ベース２０と、このベース２０の正面及び上下左右の面を略覆うものであって、支持部６０を介してベース２０に回転自在に軸支されたカバー３０とを備えて構成されている。この筐体１０の底面には一対の引き込み口１１が形成されており、この引き込み口１１を介して、図示しない光ケーブルを筐体１０の内部に引込むことができ、あるいは、筐体１０の内部から外部に光ケーブルを引き出すことができる。また、筐体１０の底面には、光電変換ユニット５０の図示しない接続端子が筐体１０の外部に露出され、この接続端子に同軸ケーブルを接続することができる。
【００２６】
また、光ファイバトレイ４０は、光ファイバを整理及び収容するための収容手段であり、筐体１０の内部に着脱可能に収容されている。この光ファイバトレイ４０は、光ファイバを固定するためのケーブル固定部４１、メカニカルスプライスを固定するためのスプライス固定部４２、及び、光ファイバの余長を処理するための余長処理部４３を一体に備えて構成されている。そして、ケーブル固定部４１に光ケーブルが固定され、この光ケーブルから引き出された光ファイバが余長処理部４３に導入され、その余長部分が余長処理部４３にて巻き取り収容される。また、スプライス固定部４２には、光ケーブルを相互に接続する図示しないメカニカルスプライスを着脱自在に固定可能である。
【００２７】
また、光電変換ユニット５０は、光信号を電気信号に変換する光電変換手段である。この光電変換ユニット５０は、略直方体状に形成されており、その内部に設けた図示しない光電変換回路によって光信号を電気信号に変換する。
【００２８】
このような構成において、引き込み口１１から引き込まれた光ケーブルにて伝送される光信号が、光電変換ユニット５０によって電気信号に変換され、図示しない同軸ケーブルを介して外部に出力される。あるいは、引き込み口１１から引き込まれた光ケーブルにて伝送される光信号が、他の光ケーブルに中継され、この光ケーブルが引き込み口１１から引き出されて外部機器に接続される。
【００２９】
（ベース２０の基本構成）
次に、ベース２０の基本構成について説明する。図２はベースを示す図であり、（ａ）は正面図、（ｂ）は側面図、（ｃ）は（ａ）のＡ−Ａ矢視断面図、（ｄ）は上面図、（ｅ）は底面図である。また、図３は正面側から見たベースの斜視図、図４は背面側から見たベースの斜視図、図５はベースの拡大側面図である。ベース２０は、底板２１と、この底板の四周から正面側（カバー３０側）に向けて立ち上がる側壁２２〜２５とを一体に備えて構成されており、全体としては正面を開放状とする中空の方形箱状に形成されている。そして、この開放状とされた正面からベース２０の内部に、図１の光ファイバトレイ４０及び光電変換ユニット５０を着脱自在に収容することができる。
【００３０】
このベース２０の左右の側壁２４、２５の上部には、上方へ向けて一体に延出する支持片２６が形成されており、この支持片２６には左右外側に突出する回転軸２６ａが一体に形成されている。この回転軸２６ａは、カバー３０の後述する軸受け孔３６ａと共に支持部６０を形成するもので、ベース２０にカバー３０を回転自在に軸支する。また、支持片２６における回転軸２６ａの近傍には、左右側方に突出する角度調整突起２６ｂが一体に形成されている。この角度調整突起２６ｂは、カバー３０の後述する支持片の内面に当接するもので、この支持片を内側から押圧することによってカバー３０の開閉時の抵抗力を生じさせ、カバー３０を任意の位置で停止させることを可能として、カバー３０の開閉角度の調整を可能とする。
【００３１】
（カバー３０の基本構成）
次に、カバー３０の基本構成について説明する。図６はカバー３０を示す図であり、（ａ）は正面図、（ｂ）は側面図、（ｃ）は背面図、（ｄ）は上面図、（ｅ）は底面図である。カバー３０は、表板３１と、この表板３１の上面及び左右の側面から背面側（ベース２０側）に向けて立ち上がる側壁３３〜３５とを一体に備えて構成されており、全体としては背面を開放状とする中空の方形箱状に形成されている。カバー３０はベース２０を外側から略覆うことができるように当該ベース２０より若干大きな形状にて形成されており、このようにカバー３０にてベース２０を覆った状態においては、カバー３０の側壁３３がベースの側壁２２の上方外側に位置すると共に、カバー３０の側壁３４、３５がベース２０の側壁２４、２５の左右の外側に位置し、これらカバー３０とベース２０との間に閉鎖状の収容空間を構成して、この収容空間の内部に光ファイバトレイ４０及び光電変換ユニット５０のを収容できる。このカバー３０の左右の側壁３４、３５の上部には、上方へ向けて一体に延出する支持片３６が形成されており、この支持片３６には軸受け孔３６ａが穿設されている。この軸受け孔３６ａは、貫通孔であり、その内部にベース２０の回転軸２６ａを回動自在に受容することで、カバー３０がベース２０に対して回転自在に取り付けられる。
【００３２】
（防水構造の基本構成）
次に、これらベース２０とカバー３０とによって構成された筐体１０の防水構造の基本構成について説明する。図５に示すように、ベース２０には、３つの防水壁２７ａ〜２７ｃが形成されている。最も正面側の防水壁２７ａは、ベース２０の上下左右の側壁２２〜２５を囲繞するように形成されたもので、これら側壁２２〜２５から外側に突出するように一体形成されており、カバー３０を閉じた状態において、カバー３０の上方及び左右の側壁３３〜３５の内面に略当接する。中央側の防水壁２７ｂは、ベース２０の左右の側壁２４、２５に形成されたもので、この側壁２４、２５から外側に突出するように一体形成されており、カバー３０を閉じた状態において、カバー３０の左右の側壁３４、３５の内面に略当接する。また、最も背面側の防水壁２７ｃは、特許請求の範囲における防水壁に対応するものである。この防水壁２７ｃは、ベース２０の左右の側壁２４、２５に形成されたもので、この側壁２４、２５から外側に突出するように一体形成されている。そして、カバー３０を閉じた状態において、防水壁２７ｃは当該カバー３０の左右の側壁３４、３５の背面側の端面に略当接する。従って、これら防水壁２７ａ〜２７ｃによって、ベース２０とカバー３０との相互間の隙間を略塞ぐことができ、この隙間から筐体１０の内部に雨水等が浸入することを防止できる。
【００３３】
このように複数の防水壁２７ａ〜２７ｃを形成することにより、ベース２０とカバー３０との相互間には排水路７０が形成されている。すなわち、ベース２０とカバー３０とによって囲繞された空間内において、防水壁２７ａと防水壁２７ｂとの相互間、及び、防水壁２７ｂと防水壁２７ｃとの相互間には、上方から下方に至る排水路７０が形成されている。そしてベース２０の側壁２４、２５とカバー３０の側壁３４、３５との相互間に何らかの原因によって浸入した雨水が、この排水路７０によって下方に導かれることで、筐体１０の内部に浸入することが防止されている。
【００３４】
また、図６（ｅ）に示すように、カバー３０の左右の側壁３４、３５の下端には、ベース２０の底面に向けて突出する遮水壁３７が設けられている。この遮水壁３７は、側壁３４、３５に一体に形成されるもので、排水路７０を下方から略覆って非露出状とすることで、この排水路７０に対する下方からの雨水の浸入を防止している。
【００３５】
（防水構造の補強構造について）
次に、このように防水構造の防水性能を向上させるための補強構造について説明する。この補強構造は、排水路７０の上部における補強構造と、排水路７０の下部における補強構造とに大別される。なお、これら補強構造は光受信機１の左右において略対称に構成されているので、以下では、右側についてのみ説明する。まず、上部における補強構造について説明する。図５に示すように、最も背面側に形成された防水壁２７ｃの上端には、防水補強壁２８が形成されている。この防水補強壁２８は、防水壁２７ｃと一体に形成されたもので、ベース２０の回転軸２６ａの略側方に至るように形成されている。
【００３６】
図７はカバーを閉じた状態における支持部周辺の拡大側面図、図８はカバーを半分開いた状態における支持部周辺の拡大側面図、図９はカバーを完全に開いた状態における支持部周辺の拡大側面図である。図７に示すように、防水補強壁２８は、カバー３０の支持片３６の背面側の端面に沿った傾斜片として形成されており、カバー３０を閉じた状態において、この端面の略全域に略当接している。この状態において、防水補強壁２８は、この支持片３６とベース２０の支持片２６との相互間の隙間（すなわち支持部６０の隙間）を少なくとも背面側に対して非露出状として、この隙間に雨水が浸入することを防止している。
【００３７】
ここで、図８、９のようにカバー３０を開いた場合、カバー３０に伴って回動するカバー３０の支持片３６の一部が、防水補強壁２８と干渉し得る。この干渉を回避するため、防水補強壁２８は、第１の段部２８ａと、カバー３０の支持片３６に干渉し得る範囲に形成された第２の段部２８ｂとを有して形成されている。第１の段部２８ａは、支持片３６の側面に略当接するような高さで立上げられており、一方、第２の段部２８ｂは、第１の段部２８ａよりも低い高さで立上げている。そして、図８、９に示すようにカバー３０を開いた状態においては、この第２の段部２８ｂがカバー３０の支持片３６の内面に略当接する。従って、第２の段部２８ｂによって、カバー３０の支持片３６の内面側の隙間を略塞いで防水性能を向上させることができると共に、第２の段部２８ｂの存在が障害になることがなくカバー３０をスムーズに開くことができる。
【００３８】
次に、排水路７０の下部における補強構造について説明する。図１０は排水路の下部構造を示す斜視図、図１１は従来の光受信機の排水路の下部構造を示す斜視図である。図１１に示すように、従来の光受信機１００においては、ベース１０１の側壁１０２の下端面は単に平面的に形成されており、この下端面の略全域に、カバー１０３（想像線にて示す）の遮水壁１０４が当接していた。このため、ベース１０１とカバー１０３との相互間を通って下方に導かれた雨水の排水が、この遮水壁１０４によって妨げられる可能性があった。
【００３９】
これに対して、本実施の形態１の光受信機１においては、図１０に示すように、ベース２０の側壁２４、２５の下端に、排水路７０を通過した水を、遮水壁３７を迂回して筐体１０の外部に排水するための第２の排水路が形成されている。具体的には、ベース２０の側壁２４の下端には、少なくともその一部を切り欠くことによって切欠き部２４ａが形成されており、このように切欠き部２４ａを形成することで、当該側壁２４の下端とカバー３０の遮水壁３７との間に、排水路７０の下端と連通した空間部が形成されている。そして、この空間部が第２の排水路として機能し、排水路７０を介して下方に導かれた雨水を、この第２の排水路を介して、筐体１０の外部に確実に排水することができる。従って、遮水壁３７によって排水が妨げられた雨水が側壁２４を乗越えて筐体１０の内部に浸入するような事態を防止できる。
【００４０】
また、このように第２の排水路を形成した場合、排水性が向上する反面、この第２の排水路を介して雨水が筐体１０に浸入する可能性がある。ここで、図１１に示すように、従来の光受信機１００においては、ベース１０１の側壁１０２の正面側は単に平面的に形成されており、この側壁１０２の正面側とカバー１０３との相互間には空間部１０５が形成されていた。従って、このような従来の構造をそのまま本実施の形態１に適用した場合、図１０の切欠き部２４ａに下方から雨水が浸入した場合には、この雨水が側壁２４の正面側に至り、この側壁２４を乗越えて筐体１０の収容空間に浸入する可能性があった。
【００４１】
このような雨水の浸入を防止するため、本実施の形態１の光受信機１においては、図１０に示すように、ベース２０の側壁２４うち、下部の立上げ高さを、当該下部以外の立上げ高さよりも高くしている。具体的には、側壁２４には、その切欠き部２４ａの近傍に位置する箇所に立上げ部２４ｂを形成している。この立上げ部２４ｂは、ベース２０の側壁２４を正面側（カバー３０側）に一体に突出させることで形成したもので、この立上げ部２４ｂによって側壁２４の立上げ高さを増すことができる。従って、第２の排水路に下方から雨水が浸入した場合であっても、この雨水が立上げ部２４ｂによって遮水され、側壁２４を乗越えて筐体１０の収容空間に至ることを防止できるので、筐体１０の防水性能を向上させることができる。なお、ここでは、側壁２４の下部にのみ立上げ部２４ｂを形成しているが、側壁２４の他の部分に立上げ部２４ｂを形成してもよい。
【００４２】
（実施の形態１の効果）
このように実施の形態１によれば、防水補強壁２８を形成することで、支持部６０を少なくとも背面側に対して非露出状として、この支持部６０から雨水が浸入することを防止できる。また、防水補強壁２８の第２の段部２８ｂを第１の段部２８ａより一段低く形成しているので、防水補強壁２８が障害になることがなく、カバー３０をスムーズに開くことができる。また、切欠き部２４ａを形成したことにより、排水路７０の下端から筐体１０の外部に雨水を確実に排水することができる。さらに、ベース２０の下部に立上げ部２４ｂを形成することによって、その立上げ高さを他の部分よりも高くしたので、第２の排水路に下方から雨水が浸入した場合であっても、この雨水が側壁２４を乗越えて筐体１０の収容空間に至ることを防止できる。
【００４３】
〔実施の形態２〕
次に、本発明に係る実施の形態２の具体的内容について詳細に説明する。この実施の形態２は、防水補強壁を支持部の上面に延出させた形態である。ただし、特に説明なき構成においては実施の形態１と同様であるものとし、実施の形態１と同様の構成要素には、必要に応じて、実施の形態１で使用したものと同一の符号を付する。
【００４４】
図１２は実施の形態２に係る光受信機において、カバーを閉じた状態における支持部周辺の拡大側面図、図１３はカバーを完全に開いた状態における支持部周辺の拡大側面図である。実施の形態２に係る光受信機２の筐体８０は、ベース９０と、このベース９０を略覆うカバー３０とを備えて構成されている。ベース９０の左右の側壁９１には、実施の形態１と同様に３つの防水壁２７ａ〜２７ｃが形成されている。ここで、最も背面側の防水壁２７ｃの上端には、防水補強壁９２が形成されている。この防水補強壁９２は、防水壁２７ｃを上方に一体に延出することによって形成されたもので、実施の形態１の防水補強壁２８の第１の段部２８ａ、第２の段部２８ｂとそれぞれ同様に構成された第１の段部９２ａ及び第２の段部９２ｂを備え、さらに湾曲部９２ｃを備えている。
【００４５】
この湾曲部９２ｃは、第１の段部９２ａ及び第２の段部９２ｂと一体に形成されたものであり、カバー３０の支持片３６の角部３６ｂの外形に略対応した湾曲形状にて形成されて、支持部６０の上方に延出している。従って、この上方側から支持部６０の周辺に対する雨水の浸入を防止でき、光受信機２の防水性能を一層向上させることができる。
【００４６】
また、第２の段部９２ｂ及び湾曲部９２ｃは、第１の段部９２ａよりも低い高さで立上げられており、図１３に示すようにカバー３０を開いた状態においては、この湾曲部９２ｃがカバー３０の支持片３６の内面に略当接する。従って、第２の段部９２ｂ及び湾曲部９２ｃによって、カバー３０の支持片３６の内面側の隙間を略塞いで防水性能を向上させることができると共に、第２の段部９２ｂ及び湾曲部９２ｃの存在が障害になることがなくカバー３０をスムーズに開くことができる。
【００４７】
（実施の形態２の効果）
このように実施の形態２によれば、防水補強壁９２を支持部６０の上方に延出させたことで、この上方側から支持部６０の周辺に対する雨水の浸入を防止でき、光受信機２の防水性能を一層向上させることができる。また、防水補強壁９２の第２の段部９２ｂ及び湾曲部９２ｃによって、カバー３０の支持片３６の内面側の隙間を略塞いで防水性能を向上させることができると共に、第２の段部９２ｂ及び湾曲部９２ｃの存在が障害になることがなくカバー３０をスムーズに開くことができる。
【００４８】
〔実施の形態に対する変形例〕
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００４９】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、筐体の収容空間に対する雨水の浸入を１００％完全に防止できない場合においても、その防水性能を従来より若干でも向上させることができている場合には、本発明の課題が達成されている。
【００５０】
（筐体の基本構造について）
筐体の基本構造は、各実施の形態に示した構造以外にも種々のものを採用でき、このように異なる構造に対しても本発明を同様に適用できる。例えば、各実施の形態では、ベースの側壁とカバーの側壁とを相互に重合させているが、いずれか一方の側壁を省略してもよい。例えば、ベースを底板のみから構成してその側壁を省略すると共に、この底板の周縁に防水壁を形成し、この防水壁の側面や正面に、カバーの側壁を当接させてもよい。この場合においても、防水補強壁を支持部の側方に延出させることで、防水性能を向上させることができる。また、各実施の形態では、ベースの側壁の外側にカバーの側壁を重合させているが、ベースの側壁の内側にカバーの側壁を重合させてもよい。この場合には、ベースの側壁の下端に遮水壁を形成する一方で、カバーの側壁の下端に切欠き部を設けることで第２の排水路を形成してもよい。また、支持部をベースとカバーの下方に設けてもよく、この場合には、防水補強壁を防水壁の下端に設けてもよい。
【００５１】
（防水補強片及び立上げ部の具体的形成方法について）
各実施の形態では、防水補強片や立上げ部をベースに一体に形成する場合について説明したが、ベースとは別体に形成し、このベースに公知の手段で取り付けてもよい。例えば、防水補強片を硬質ゴムにて形成し、ベースに接着してもよい。
【産業上の利用可能性】
【００５２】
この発明は、屋外用の光受信機を含む各種の受信機に適用でき、この受信機の防水性能を向上させることに有用である。
【図面の簡単な説明】
【００５３】
【図１】実施の形態１に係る光受信機の全体斜視図である。
【図２】ベースを示す図であり、（ａ）は正面図、（ｂ）は側面図、（ｃ）は（ａ）のＡ−Ａ矢視断面図、（ｄ）は上面図、（ｅ）は底面図である。
【図３】正面側から見たベースの斜視図である。
【図４】背面側から見たベースの斜視図である。
【図５】ベースの拡大側面図である。
【図６】カバーを示す図であり、（ａ）は正面図、（ｂ）は側面図、（ｃ）は背面図、（ｄ）は上面図、（ｅ）は底面図である。
【図７】カバーを閉じた状態における支持部周辺の拡大側面図である。
【図８】カバーを半分開いた状態における支持部周辺の拡大側面図である。
【図９】カバーを完全に開いた状態における支持部周辺の拡大側面図である。
【図１０】排水路の下部構造を示す斜視図である。
【図１１】従来の光受信機の排水路の下部構造を示す斜視図である。
【図１２】実施の形態２に係る光受信機において、カバーを閉じた状態における支持部周辺の拡大側面図である。
【図１３】カバーを完全に開いた状態における支持部周辺の拡大側面である。
【符号の説明】
【００５４】
１、２、１００  光受信機
１０  筐体
１１  引き込み口
２０、９０、１０１  ベース
２１  底板
２２〜２５、３３〜３５、９１、１０２  側壁
２４ａ  切欠き部
２６、３６  支持片
２６ａ  回転軸
２６ｂ  角度調整突起
２７ａ〜２７ｃ  防水壁
２８、９２  防水補強壁
２８ａ、９２ａ  第１の段部
２８ｂ、９２ｂ  第２の段部
２９  切欠き部
３０、１０３  カバー
３１  表板
３６ａ  軸受け孔
３６ｂ  角部
３７、１０４  遮水壁
４０  光ファイバトレイ
４１  ケーブル固定部
４２  スプライス固定部
４３  余長処理部
５０  光電変換ユニット
６０  支持部
７０  排水路
９２ｃ  湾曲部
１０５  空間部
【図１】
0004674166.tif 000002
【図２】
0004674166.tif 000003
【図３】
0004674166.tif 000004
【図４】
0004674166.tif 000005
【図５】
0004674166.tif 000006
【図６】
0004674166.tif 000007
【図７】
0004674166.tif 000008
【図８】
0004674166.tif 000009
【図９】
0004674166.tif 000010
【図１０】
0004674166.tif 000011
【図１１】
0004674166.tif 000012
【図１２】
0004674166.tif 000013
【図１３】
0004674166.tif 000014